(57)【要約】【課題】パソコンをワンタッチで画面ロック状態にすることで節電効果とパソコンの前を離席するときのセキュリティを高め、同時にウェブカメラの乗っ取り等のソフトウェア的リスクの低減を兼ね備えた、ウェブカメラ用盗撮盗聴防止カバーを提供する。【解決手段】パソコン搭載のウェブカメラのレンズ９、マイク１０を覆う形状を持ち、覗き見や盗撮、盗聴を防止できる。さらに、パソコンを画面ロック状態にするショートカットキー機能を持った押しボタン２を配置することにより、ワンタッチでパソコンの画面ロックを行うことができる。【選択図】図５
2020191051.tif 000002
【特許請求の範囲】
【請求項１】
パソコンに搭載されているウェブカメラ部分に、パソコンを画面ロック状態にするショートカット機能を有する押しボタンを重設して、ワンタッチでパソコンを画面ロック状態にできる、ウェブカメラ用盗撮盗聴防止カバー。
【請求項２】
パソコンに搭載されているウェブカメラのレンズ部分を、画面ロックボタンを支持している不透明な素材のベース部品で光学的に塞ぐ、ウェブカメラ用盗撮盗聴防止カバー。
【請求項３】
ベース部品の、パソコンに搭載されているウェブカメラのマイクにあたる部分に、遮音性の高い素材を設置することで、ウェブカメラのマイクを音響的に塞ぐ、ウェブカメラ用盗撮盗聴防止カバー。
【発明の詳細な説明】
【技術分野】
【０００１】
本発明は、パソコン、携帯端末、情報通信端末に搭載、または外付けされたウェブカメラを、プライバシー保護のためレンズを光学的に塞ぎ、マイクを音響的に塞ぐカバーに、パソコンをワンタッチで画面ロック状態にするボタンを配置した、ウェブカメラ用盗撮盗聴防止カバーに関するものである。
【背景技術】
【０００２】
この種のウェブカメラカバーとして、本出願人の提案に係るウェブカメラ用盗撮防止カバーが公知である（特許文献１）。
【０００３】
パソコンの画面ロック機能はオペレーションシステムに組み込まれた機能であり、パソコンの画面を休止状態にし待機中の省電力に優れており、シャットダウンとは異なり休止状態からの復帰は速い。さらに、同じくオペレーションシステムに組み込まれたパスワードロックの設定を行うことで、休止状態からの復帰時にパスワードを要求することにより、他者による休止中の操作を禁止することが可能で、高いセキュリティが得られる。
【０００４】
パソコンを画面ロック状態にするにはいくつかの方法がある。マイクロソフト社のWindowsを例にとると、まずスタートアイコン→ユーザアイコン→ロックが一例。キーボードから、Windowsキー＋Ｌを入力するのが一例。設定パネル内で、あらかじめ一定時間で画面をロックするように設定する、などである。
【先行技術文献】
【特許文献】
【０００５】
【特許文献１】特開２０１４−１６７５５９号
【発明の概要】
【発明が解決しようとする課題】
【０００６】
上記背景技術にあげた公知のウェブカメラ用盗撮防止カバーは、レンズを光学的に塞ぎ、ウェブカメラの乗っ取り等のソフトウェア的リスクに対して有効であり、導入も容易なことからも人気を博しているが、覗き見盗撮防止の単機能にすぎず、音声の盗聴については効果がない。
【０００７】
パソコンの画面ロック機能は、省電力に優れ、パスワード等認証設定と組み合わせる事による高いセキュリティから多くの場所で使用され、パソコンの使用環境によっては厳しくルール化されていることも少なくない。しかし、問題がないわけではない。
【０００８】
上記背景技術で例示したマイクロソフト社のWindowsの画面ロックの方法を例にあげると、前者二例に関しては、マウスもしくはキーボードによる複数回の手順が必要であり、使用者が立ち上がった状態では腰をかがめてマウスもしくはキーボードを操作しなければならない。一定時間で自動的に画面をロックするに至っては、設定時間によっては節電効果が認められるが、パソコンの前を離席する際のセキュリティには問題がある。
【課題を解決するための手段】
【０００９】
本発明の取り付け位置をパソコンのウェブカメラのレンズ９上にすることで、レンズを光学的に塞ぎウェブカメラ用覗き見盗撮防止カバーとして機能する。
【００１０】
本発明とパソコンのウェブカメラのマイク１０が接する箇所に、遮音性に優れた素材でできたパッド６を設けることで、マイクを音響的に塞ぎウェブカメラ用盗聴防止カバーとして機能する。
【００１１】
さらに、本発明の押しボタン２はMCU(Micro Control Unit)４を介することで、画面ロックのショートカットキーに相当する信号を発生させ、ワンタッチでパソコンを画面ロック状態にする。
【発明の効果】
【００１２】
本発明本体がウェブカメラ用盗撮盗聴防止カバーとして機能するため、レンズ９を光学的に、マイク１０を音響的に塞ぎウェブカメラの乗っ取り等プライバシーリスクの回避に有効である。
【００１３】
押しボタン２がパソコンの前面にあることから、使用者が立った姿勢でも座った姿勢でも手の届く範囲に位置することで容易に画面ロック機能を利用でき、使用者にこまめな画面ロックを習慣づけるインセンティブとなり、節電効果と高いセキュリティを享受することができる。
【００１４】
本発明に係る「パソコン」にはディスプレイとウェブカメラを搭載、または外付けされたコンピュータ、携帯端末、情報通信端末等が該当する。
【００１５】
本発明に係る「画面ロック機能」には、オペレーションシステムに組み込まれたパスワード等認証設定を伴ってパソコンの操作を制限する、画面ロック機能、スクリーンセーバー機能、スリープ機能等が該当する。
【００１６】
本発明によるパソコンの画面ロックの容易さは、節電効果と高いセキュリティを生む。ウェブカメラを使用しないときのレンズおよびマイクを隠す習慣は、ウェブカメラを悪用した盗撮や盗聴、さらに盗撮を装った詐欺といったウェブカメラに潜在するリスクを軽減する。産業上の利用可能性は高いものである。
【図面の簡単な説明】
【００１７】
【図１】パソコンのウェブカメラを使用しないときに、本発明によりレンズ、マイクを覆っている状態の、正面から見たときの図である。
【図２】パソコンのウェブカメラを使用するときに、本発明を横に移動させてレンズ、マイクを露出させている状態の、正面から見たときの図である。
【図３】パソコンのウェブカメラを使用しないときに、本発明によりレンズ、マイクを覆っている状態の、図１を上部から見たときの図である。
【図４】パソコンのウェブカメラを使用するときに、本発明を横に移動させてレンズ、マイクを露出している状態の、図２を上部から見たときの図である。
【図５】本発明を横から見たときの図である。
【図６】本発明を背後（パソコンの背面）から見たときの図である。
【図７】本発明をパソコンに設置した場合のパソコンを、正面から見たときの図である。
【図８】本発明の画面ロック機能の実装の一例として、MCUにPro Micro（Arduino互換の汎用マイコンボード）、画面ロックのキー情報をコンピュータに伝達する配線にUSBを使用した例の回路図である。
【発明を実施するための形態】
【００１８】
以下、本発明の実施例に基づいて説明する。
【００１９】
ベース部品１は、押しボタン２の機能を損なわない、かつパソコンのウェブカメラ９使用時の移動に耐えうる程度の強度を持つ。
【００２０】
ベース部品１は、遮音に適する目的のためにウェブカメラのマイクを塞ぐパッド６をマイクに密着させる程度な重量と弾力性を持つ。
【００２１】
ベース部品１は、パソコンのウェブカメラ９使用時に左右に移動させてレンズ、マイクを露出させる事ができるよう適度な遊びを持つ。
【００２２】
本発明がパソコン本体に接地する部分７,８は、パソコンのウェブカメラ９使用時に左右に移動させるときにパソコン本体１１を傷つけないように、スポンジ等の柔らかい素材を使用している。
【００２３】
ベース部品１、押しボタン２、本発明がパソコン本体に接地する部分７は、不透明な素材を使用し、パソコンのウェブカメラのレンズ９を光学的に塞ぐ。
【００２４】
本発明がパソコン本体に接地する部分７は、光の漏れを防ぐためにドーナツ状の形状をもつ。
【００２５】
ウェブカメラのマイク１０を塞ぐパッド６は、パソコン本体１０を傷つけず音漏れのないように、シリコンゴム、弾性発泡プラスチック等の柔軟性と高遮音性を兼ね備えた素材を使用し、パソコンのウェブカメラのマイク９を音響的に塞ぐ。
【００２６】
以下に、本発明の画面ロック機能の実装の一例として例示した図８に対応した、汎用MCU用プログラミング言語（Arduino言語）を使用したソースコードを例示する。パソコンのオペレーションシステムはマイクロソフト社のWindowsを対象とした例で、押しボタンを押すことで画面ロックのショートカットキー（Windowsキー＋Ｌ）に相当する信号を発生させている。
【数１】
2020191051.tif 000003
【符号の説明】
【００２７】
１  ベース部品
２  押しボタン
３  押しボタンとMCUを接続する配線
４  MCU(Micro Control Unit)
５  画面ロックのキー情報をコンピュータに伝達する配線
６  ウェブカメラのマイクを塞ぐパッド
７  本発明がパソコン本体に接地する部分（レンズ側）
８  本発明がパソコン本体に接地する部分
９  パソコンのウェブカメラのレンズ
１０  パソコンのウェブカメラのマイク
１１  パソコン本体
１２  パソコンのスクリーン
【図１】
2020191051.tif 000004
【図２】
2020191051.tif 000005
【図３】
2020191051.tif 000006
【図４】
2020191051.tif 000007
【図５】
2020191051.tif 000008
【図６】
2020191051.tif 000009
【図７】
2020191051.tif 000010
【図８】
2020191051.tif 000011
【手続補正書】
【提出日】令和2年7月20日(2020.7.20)
【手続補正１】
【補正対象書類名】特許請求の範囲
【補正対象項目名】請求項３
【補正方法】変更
【補正の内容】
【請求項３】
ベース部品の、パソコンに搭載されているウェブカメラのマイクにあたる部分に、柔軟性、遮音性の高い素材を密着設置することで、ウェブカメラのマイクを音響的に塞ぐ、ウェブカメラ用盗撮盗聴防止カバー。
【手続補正書】
【提出日】令和2年7月20日(2020.7.20)
【手続補正１】
【補正対象書類名】明細書
【補正対象項目名】０００２
【補正方法】変更
【補正の内容】
【０００２】
この種のウェブカメラカバーとして、本出願人の提案に係るウェブカメラ用盗撮防止カバー、CAMERA OBSTRUCTING DEVICEが公知である（特許文献１，特許文献２）。
【手続補正２】
【補正対象書類名】明細書
【補正対象項目名】０００５
【補正方法】変更
【補正の内容】
【０００５】
【特許文献１】特開２０１４−１６７５５９号
【特許文献２】米国特許出願公開第２０１８／５９５１０号
【手続補正３】
【補正対象書類名】明細書
【補正対象項目名】０００６
【補正方法】変更
【補正の内容】
【０００６】
上記背景技術にあげた公知のウェブカメラ用盗撮防止カバーは、レンズを光学的に塞ぎ、ウェブカメラの乗っ取り等のソフトウェア的リスクに対して有効であり、導入も容易なことからも人気を博しているが、主たる機能が覗き見盗撮防止であり音声の盗聴防止に関しては必ずしも十分ではない。